(57)【要約】【課題】多数の撮影コマ画像を記録することができる記録メディアから写真プリントなどの写真プリントサービスを効果的に受け付けることができる写真サービス受付装置を提供する。【解決手段】ユーザにより投入された記録メディアＭから撮影コマ画像を取り込み、ユーザにより選択された写真サービス形態を規定するサービス種に基づく撮影コマ画像の写真サービス注文を受け付ける写真サービス受付装置。この装置は、記録メディアにおける撮影コマ画像の記録状態を示す記録情報を検出するメディア記録情報検出部６１と、検出された記録情報に基づいてユーザに優先提示するサービス種を決定する優先サービス種決定部６２を備えている。【選択図】図３
2009282148.tif 000002
【特許請求の範囲】
【請求項１】
ユーザにより投入された記録メディアから撮影コマ画像を取り込み、ユーザにより選択された写真サービス形態を規定するサービス種に基づく撮影コマ画像の写真サービス注文を受け付ける写真サービス受付装置において、
前記記録メディアにおける撮影コマ画像の記録状態を示す記録情報を検出するメディア記録情報検出部と、
検出された記録情報に基づいてユーザに優先提示するサービス種を決定する優先サービス種決定部と、
を備えた写真サービス受付装置。
【請求項２】
前記メディア記録情報検出部は前記記録メディアに記録されている撮影コマ画像のコマ数を検出する機能を有し、前記コマ数が所定数以上の場合、前記優先サービス種決定部は割引全コマ写真プリントサービスを優先提示すべきサービス種として決定する請求項１に記載の写真サービス受付装置。
【請求項３】
前記メディア記録情報検出部は前記記録メディアにおける記録可能残量を検出する機能を有し、前記記録可能残量が所定値以下の場合、前記優先サービス種決定部は前記記録メディアに記録された撮影コマ画像を他の記録メディアに書き込むコマ画像書き込みサービスを優先提示すべきサービス種として決定する請求項１または２に記載の写真サービス受付装置。
【請求項４】
前記メディア記録情報検出部は前記記録メディアにおける記録可能残量を検出する機能を有し、前記記録可能残量が所定値以下の場合、前記優先サービス種決定部は写真プリントサービスまたは他の記録メディアへの書き込みサービスの注文対象となった撮影コマ画像を前記記録メディアから消去するコマ画像消去写真プリントサービスを優先提示すべきサービス種として決定する請求項１または２に記載の写真サービス受付装置。
【請求項５】
前記メディア記録情報検出部は前記記録メディアにおける撮影コマ画像の記録日時を検出する機能を有し、日時あたりの撮影コマ画像の記録コマ数が所定数以上の場合、当該日時に記録された複数の撮影コマ画像をまとめて1枚の写真プリントとするアルバム写真プリントサービスを優先提示すべきサービス種として決定する請求項１から４のいずれか一項に記載の写真サービス受付装置。
【発明の詳細な説明】
【技術分野】
【０００１】
本発明は、ユーザにより投入された記録メディアから撮影コマ画像を取り込み、ユーザにより選択された写真サービス種に基づく撮影コマ画像の写真サービス注文を受け付ける写真サービス受付装置に関する。
【背景技術】
【０００２】
近年、デジタルカメラの普及、特に携帯電話に組み込まれたデジタルカメラの普及により、カメラの所有は一人に1台以上となり、撮影回数は飛躍的に向上した。撮影回数の増大はそれによって生成される撮影コマ画像のコマ枚の増大を導くが、必ずしも撮影コマ画像からの写真プリントの出力に結びついておらず、写真プリント出力などを行う写真サービス業界で生成された撮影コマ画像をいかに写真サービスに結びつけるかが重要な課題となっている。
【０００３】
ユーザがいつでもどこでも写真サービスを受けることができるように、ＤＰ店の店頭やコンビニエンスストア内などに設置され、ユーザが投入した記録メディアから取り込んだ画像情報（撮影コマ画像）をディスプレイに表示し、この表示に基づいてユーザが指定した画像データを出力部に出力する受付装置が知られている（例えば、特許文献１参照）。この受付装置では、画像情報を保存した記憶メディアから画像情報をメディアドライブで取り込み、取り込んだ画像情報をサムネイル化してディスプレイに一覧化して表示する。表示された画像情報のプリント枚数等の指定をディスプレイのタッチパネルを介して行い、オーダ情報として取得し、プリントを実行することや、ＣＤ−Ｒ等のメディアに画像情報の保存を実行する。
【０００４】
写真プリントの出力形態を規定する所定のサービス種に基づいて入力された撮影コマ画像から写真プリントを出力するプリンタユニットと、サービス種による写真プリント出力のための課金処理を管理する課金管理部と、それぞれ規定の料金が設定されている複数の前記サービス種を登録管理している写真サービス管理テーブルと、前記課金管理部における釣り銭準備状態に基づいて、前記写真サービス管理テーブルに登録されているサービス種の中から、釣り銭不足が問題とならないサービス種のみを取り扱い可能としてユーザに提示する提示サービス種決定部とを備えたセルフ写真プリント装置も知られている（例えば、特許文献２参照）。このセルフ写真プリント装置では、課金管理部で管理されている釣り銭の準備状態に基づいて、例えば硬貨での釣り銭が不足している場合には、硬貨での釣り銭が発生しない料金が設定されているサービス種だけをユーザに提示することで、釣り銭なしという問題を回避して、ユーザの便利を図っている。
【０００５】
【特許文献１】特開２００３‐７５９３０号公報 （段落番号〔００１６〕〜〔００５２〕、図１〜図６）
【特許文献２】特開２００８‐３３０２５号公報 （段落番号〔０００６〕〜〔０００８〕、図１、図３）
【発明の開示】
【発明が解決しようとする課題】
【０００６】
上述した特許文献１による受付装置や特許文献２によるセルフ写真プリント装置は、ユーザによって生成された撮影コマ画像を気軽に写真プリント出力などの写真サービスに結びつけるために有効な装置である。しかしながら、近年、記録メディアの容量が飛躍的に増大し、千コマ以上の撮影コマ画像を記録することができる記録メディアも一般的に利用されており、従来のような写真サービスでは、ユーザを満足させることが困難となる。例えば、数百コマに及ぶ撮影コマ画像を順次ディスプレイに表示して、そこからプリントすべき撮影コマ画像を選択するという作業は不可能に近い。
上記実状に鑑み、本発明の目的は、大量の撮影コマ画像を記録することができる記録メディアから写真プリントなどの写真プリントサービスを効果的に受け付けることができる写真サービス受付装置を提供することである。
【課題を解決するための手段】
【０００７】
ユーザにより投入された記録メディアから撮影コマ画像を取り込み、ユーザにより選択された写真サービス形態を規定するサービス種に基づく撮影コマ画像の写真サービス注文を受け付ける写真サービス受付装置において、上記目的を達成するため、本発明では、前記記録メディアにおける撮影コマ画像の記録状態を示す記録情報を検出するメディア記録情報検出部と、検出された記録情報に基づいてユーザに優先提示するサービス種を決定する優先サービス種決定部とが備えられている。
【０００８】
このように構成された写真サービス受付装置では、メディア記録情報検出部がユーザにより投入された記録メディアにおける撮影コマ画像の記録状態を示す記録情報を検出し、優先サービス種決定部がこの記録情報に基づいて適切なサービス種を決定するので、記録メディアの記録情報に応じて適切なサービス種をユーザに優先的に提示することができる。例えば、上述したように、数百の撮影コマ画像をディスプレイに表示して、そこからプリントすべき撮影コマ画像をユーザに選択させるといった不都合なサービスをユーザに提供することを回避することができる。
【０００９】
本発明の好適な実施形態の1つでは、前記メディア記録情報検出部は前記記録メディアに記録されている撮影コマ画像のコマ数を検出する機能を有し、前記コマ数が所定数以上の場合、前記優先サービス種決定部は割引全コマ写真プリントサービスを優先提示すべきサービス種として決定するように構成されている。例えば数百コマ以上の撮影コマ画像が記録メディアに記録されていた場合、そこから写真プリントすべきものを選択することはかなりわずらわしいので、全ての撮影コマ画像を写真プリントすることが望ましい。この構成によれば、記録メディアに記録されている撮影コマ画像のコマ数が所定数以上となると、全コマ写真プリントサービスが優先提示される。但し、多数の写真プリント出力は金銭的にユーザにとって不都合であるので、その料金が割引される。つまり、所定数以上の全コマ写真プリントサービスには割引を実施することで、この優先提示されるサービス種はユーザにとっても写真サービス店にとっても好都合なサービス種となる。
【００１０】
本発明の別な好適実施形態の１つでは、前記メディア記録情報検出部は前記記録メディアにおける記録可能残量を検出する機能を有し、前記記録可能残量が所定値以下の場合、前記優先サービス種決定部は前記記録メディアに記録された撮影コマ画像を他の記録メディアに書き込むコマ画像書き込みサービスを優先提示すべきサービス種として決定するように構成されている。デジタルカメラなどで使用される記録メディアは半導体メモリであり、高価なものである。従って、記録メディアの記録可能残量が少なくなると、記録した撮影コマ画像を消去する必要がある。このため、消去する前の撮影コマ画像をＤＶＤ−Ｒなどの安価な記録メディアにバックアップすることになる。このようなバックアップ作業はデータ操作に不慣れなユーザにとってかなりわずらわしい。この構成によれば、記録メディアの記録可能残量が所定値以下であることが検出されると、上述した撮影コマ画像のバックアップが優先サービス種として提示され、この写真サービス受付装置が実行してくれるので、ユーザにとって好都合である。また、ＤＶＤ書き込みサービスの注文を受ける写真サービス店にとっても好都合である。
【００１１】
同様な写真サービスを行うため、前記メディア記録情報検出部は前記記録メディアにおける記録可能残量を検出する機能を有し、前記記録可能残量が所定値以下の場合、前記優先サービス種決定部は写真プリントサービスまたは他の記録メディアへの書き込みサービスの注文対象となった撮影コマ画像を前記記録メディアから消去するコマ画像消去写真プリントサービスを優先提示すべきサービス種として決定するように構成された写真サービス受付装置も提案される。ここで優先提示されるサービス種では、記録メディアの記録可能残量が所定値以下の場合、写真プリントを行った撮影コマ画像または他の記録メディアに書き込まれた撮影コマ画像を記録メディアから消去してくれるので、写真プリント出力した分だけ、記録メディアの記録可能容量を増加させることができる。しかも、記録メディアから消去された撮影コマ画像は写真プリントまたは画像データとして所有することになるので、必要な場合、その複製を作成することができる。
【００１２】
本発明のさらに好適な実施形態の１つでは、前記メディア記録情報検出部は前記記録メディアにおける撮影コマ画像の記録日時を検出する機能を有し、日時あたりの撮影コマ画像の記録コマ数が所定数以上の場合、当該日時に記録された複数の撮影コマ画像をまとめて1枚の写真プリントとするアルバム写真プリントサービスを優先提示すべきサービス種として決定するように構成されている。記録メディアの記録容量が大きくなると、簡単に撮影しがちとなり、同じ被写体に対して撮影方向などを変えながら多数の撮影コマ画像を記録することになる。従って、所定の日時の間に共通な撮影テーマを有する複数の撮影コマ画像が存在することになる。その際、このような共通な撮影テーマを有する複数の撮影コマ画像をまとめて１つの写真プリントとして出力すると、各撮影コマ画像は小さくなる欠点はあるが、多数の撮影コマ画像を安価に写真プリント化することができる。例えば、２００個の撮影コマ画像が数個単位でまとめると数十枚の写真プリントで済むことになる。しかも、各写真プリントには共通した撮影テーマを持つ撮影コマ画像が含まれる可能性が高く、写真プリントの整理上も好都合である。また、写真サービス店にとっても、撮影コマ画像数分の写真プリントがなされないとしても、死蔵されがちな多数コマの撮影コマ画像が写真プリント化される可能性が高まることに利点がある。
【発明を実施するための最良の形態】
【００１３】
以下、本発明の実施形態を図面に基づいて説明する。図１に、本発明による写真サービス受付装置の実施形態としてのセルフプリント端末機が示されている。セルフプリント端末機は、ＤＰショップなどの写真サービス店やコンビニエンスストア等の店頭に設置され、デジタルカメラやカメラ付き携帯電話を利用して取得された撮影コマ画像データ（以下単に撮影コマ画像と略称するが、撮影コマ画像データによって可視化された画像自体も混乱を生じない範囲で撮影コマ画像と呼ぶことにする。）に基づいて種々の形態の写真プリントを出力する機能や、撮影コマ画像をＤＶＤ−Ｒ等の書き込み型の大容量記録メディアを書き込む機能を有し、各種操作は実質的にユーザによるセルフサービスで行われる。
【００１４】
このセルフプリント端末機は、上部に写真処理サービス受付部Ａを備え、下部のボックス状コンソールに課金決済部Ｂと写真サービス処理部Ｃを装備している。写真処理サービス受付部Ａは上部ハウジング１とこれに取り付けられた液晶ディスプレイ２によって構成されている。液晶ディスプレイ２にはグラフィックユーザインターフェース（ＧＵＩ）化された操作画面に対して操作入力を行うためのタッチパネル３が備えられている。上部ハウジングの前面には、直接ユーザによって投入された、コンパクトフラッシュ（商標）、ＳＤカード（商標）、メモリスティック（商標）等の半導体メモリからなる記録メディアＭから撮影コマ画像を取得する複数種のメディアドライブ４ａと、記録メディアＭを装着したデジタルカメラやカメラ付携帯電話から撮影コマ画像の転送を可能にするＵＳＢなどのデータ伝送コネクタ４ｂが備えられている。ここでは、メディアドライブ４ａやデータ伝送コネクタ４ｂを総合して記録メディアＭとの間でデータ伝送を行う記録メディア操作部４と称している。さらに、上部ハウジング１の前面には、レシートを発行するレシートプリンタ５が装着されている。上部ハウジング１の内部には、このセルフプリント端末機で利用される写真処理サービスにおける種々の処理機能を実現するメインコントロールユニット５０が備えられている。
【００１５】
課金決済部Ｂは、ボックス状コンソール１０の表面に露出する課金決済パネル１０ａを備えており、この課金決済パネル１０ａに硬貨を投入する硬貨投入口１１と、紙幣を投入する紙幣挿入口１２とが形成されている。釣り銭払出口１３は、写真プリント取出口４１とともにボックス状コンソール１０の下部に配置されている。注文された写真サービスに対する課金決済制御は、ボックス状コンソール１０の内部に備えられた課金決済コントロールユニット２０によって行われる
【００１６】
写真サービス処理部Ｃは、この実施形態では２台のプリンタユニット４０と1台の大容量記録メディア書き込み機としてのＤＶＤ−Ｒ書き込み機６から構成されている。各プリンタユニット４０から排出された写真プリントは、ボックス状コンソール１０の表面に露出する共通の写真プリント取出口４１に集積される。それぞれのプリンタユニット４０に、異なるタイプの、例えばシート幅や材質の異なるプリント媒体を装填することにより、異なるサイズや異なる表面仕上げの写真プリントをプリント媒体の交換なしで出力することができる。プリンタユニット４０に採用されるプリント方式としては、熱昇華方式や熱転写方式やインクジェット方式が挙げられるが、本発明では、特定のプリント方式に限定していない。
【００１７】
このセルフプリント端末機の制御系は図２に示されている。写真プリント処理を含む装置全体を管理するメインコントロールユニット５０は、マイクロプロセッサ（ＣＰＵ）とＲＯＭやＲＡＭなどのメモリとを備えると共に、グラフィックインターフェースを簡単に実現するため汎用ＯＳ部を実装し、この汎用ＯＳから供給されるプログラムセットを利用しながら各種機能プログラムを構築しているアプリケーション部も実装されている。マイクロプロセッサからの命令に応じて情報の入出力を行う入出力インターフェースに、ディスプレイ２、タッチパネル３、記録メディア操作部４、レシートプリンタ５、２台のプリンタユニット４０、ＤＶＤ−Ｒ書き込み機６が接続されている。
【００１８】
課金決済コントロールユニット２０は、ワンチップマイコンによって構成することが可能であり、その入出力インターフェースには、ここでは図示されていない硬貨処理器、紙幣処理器、釣り銭処理器が接続される。メインコントロールユニット５０と課金決済コントロールユニット２０はそれぞれの通信インターフェースを介して情報伝達可能に接続されており、メインコントロールユニット５０からのプリント料金情報を受けて、課金決済コントロールユニット２０はユーザからの釣り銭算出を含む金銭投入の適正判定の結果や、釣り銭の過不足を示す釣り銭準備情報を返答することができる。
【００１９】
メインコントロールユニット５０のアプリケーション部ないしはメインコントロールユニット５０に装備されたハードウエアよって主に作り出される、特に本発明に関係する各種処理機能を図３の機能ブロック図を用いて説明する。まず、撮影コマ画像を記録している記録メディアＭから記録メディア操作部４を通じて送られてきた撮影コマ画像をその画像データフォーマットに基づいてメモリ５１に展開する画像データ入力部５２と、メモリ５１に展開された撮影コマ画像を管理するコマ画像管理部５３と、撮影コマ画像に対して必要な画像処理を施す画像処理部５４と、画像処理を終えた撮影コマ画像からプリンタユニット４０に適合するプリントデータを生成するプリントデータ生成部５５と、メモリ５１から画像処理なしの生の撮影コマ画像または画像処理済みの撮影コマ画像をＤＶＤ−Ｒ書き込み機６に転送するデータ書き込み制御部５６が用意されている。
【００２０】
また、液晶ディスプレイ２に表示されたグラフィック化された操作画面に対するタッチパネル３（場合によっては操作キーなどの入力デバイス）を用いた簡単な操作入力を実現するためのグラフィックインターフェースを作り出すためのＧＵＩ部５７や、このＧＵＩ部５７を通じてユーザから注文された写真プリント出力などの写真サービスに対する料金を算出する料金算出部５８も用意されている。ＧＵＩ部５７には、ユーザに種々の情報を与える情報表示画面や撮影コマ画像選択画面などこのセルフプリント端末機の操作に関する操作画面を生成する操作画面生成部５７ａ、種々の操作画面を通じて取得した操作コマンドを管理する操作コマンド管理部５７ｂが含まれている。料金算出部５８で算出された料金はＧＵＩ部５７を通じてディスプレイ２に表示されるとともにデータ伝送により課金決済コントロールユニット２０に転送される。課金決済コントロールユニット２０は受け取った料金データに基づいてユーザとの間で課金決済を行う。
【００２１】
さらに、このメインコントロールユニット５０には、本発明を特徴付ける機能として、メディア記録情報検出部６１と、優先サービス種決定部６２と、写真サービス種管理テーブル６３が備えられている。メディア記録情報検出部６１は、記録メディアＭから記録メディア操作部３を通じて記録メディアＭにおける撮影コマ画像の記録状態を示す記録情報を検出する機能を有する。この実施形態では、メディア記録情報検出部６１が記録メディアＭから検出する記録情報は、記録メディアＭに記録されている撮影コマ画像のコマ数、記録メディアＭにおける記録可能残量、記録メディアＭにおける記録可能残量、記録メディアにおける撮影コマ画像の記録日時などである。優先サービス種決定部６２は、メディア記録情報検出部６１によって検出された記録情報に基づいてユーザに優先提示するサービス種を決定する。例えば、以下のような優先提示サービス種決定判定条件が挙げられる。
（１）記録メディアＭに記録されている撮影コマ画像のコマ数が所定数（例えば１００）以上の場合、割引全コマ写真プリントサービスが優先提示すべきサービス種として決定される。この割引全コマ写真プリントサービスとは、１００枚以上の写真プリントに対して、その枚数に応じて３０％から５０％の割引を行うことであり、これにより、ユーザがデジタル機器で撮った撮影コマ画像をできるだけ写真プリント出力することを促進するためである。この割引全コマ写真プリントサービスが優先サービス種決定部６２によって優先写真サービス種として決定されると、まず、ディスプレイ２に図４の（ａ）に示された画像が表示される。
（２）記録メディアＭにおける記録可能残量が所定値以下の場合、記録メディアＭに記録された撮影コマ画像を他の記録メディアに書き込むコマ画像書き込みサービスが優先提示すべきサービス種として決定される。ＤＶＤ−Ｒなどの他の記録メディアに撮影コマ画像を書き込むことにより、記録メディアＭに記録されている撮影コマ画像を安心して消去でき、それにより記録容量を増やすことができる。この写真サービスが優先写真サービス種として決定されると、ディスプレイ２に図４の（ｂ）に示された画像が表示される。
（３）記録メディアＭにおける記録可能残量が所定値以下の場合、前記優先サービス種決定部はユーザによって選択された撮影コマ画像を写真プリントするとともに当該撮影コマ画像を前記記録メディアから消去するコマ画像消去写真プリントサービスが優先提示すべきサービス種として決定される。一旦、写真プリント出力した撮影コマ画像は不必要になることが多いので、このサービスを通じて、容易に記録容量を増やすことができる。この写真サービスが優先写真サービス種として決定されると、図４の（ｂ）に類似した画像がディスプレイ２に表示される。
（４）記録メディアＭにおける撮影コマ画像の所定記録日時あたりの撮影コマ画像が所定数以上の場合、当該日時に記録された複数の撮影コマ画像をまとめて1枚の写真プリントとするアルバム写真プリントサービスが優先提示すべきサービス種として決定される。同じ日時に撮られた多数の撮影コマ画像から普通サイズの写真プリントを作るのはコストがかさむので躊躇するが、捨てたくもないといったケースがある。このようなケースでは、この写真サービス種を利用することで、１つの撮影コマ画像のサイズは小さくなるが、出力する写真プリントの枚数は節約できる。この写真サービスが優先写真サービス種として決定されると、ディスプレイ２に図４の（ｃ）に示された画像が表示される。
【００２２】
写真サービス種テーブル６３には、このセルフプリント端末機で実行可能な上述したような写真サービス種をユーザに提示するとともにユーザによって注文された写真サービス種を実行するための情報が登録されている。写真サービス種管理テーブル６３に登録されている情報は優先サービス種決定部６２によって参照され、優先サービス種決定部で優先サービス種として選択されたサービス種が通常の写真サービス種に優先してユーザに提示されるサービス種としてディスプレイ２に表示されることになる。
【００２３】
上述のように構成されたセルフプリント端末機における写真サービス処理の過程を図５のフローチャートを用いて説明する。
ユーザによる写真サービス注文処理が始まると、記録メディア種別選択画面がディスプレイ２に表示される（＃０１）。この記録メディア種別選択画面には「メディアを選択して下さい」とのメッセージと共に、記録メディアＭを選択する複数のアイコンスイッチが表示されており、ユーザに所望の記録メディアＭの選択を求める。ユーザは、利用する記録メディアＭに対応するアイコンスイッチを接触操作することで選択し（＃０２）、その後表示される「メディアセット案内画面」を見ながら、写真サービス注文に利用する記録メディアＭをセットする（＃０３）。
【００２４】
ユーザによって記録メディアＭがセットされると、セットされた記録メディアＭから、記録メディアＭに記録されている撮影コマ画像のコマ数、記録メディアＭにおける記録可能残量といった記録容量情報及び／または記録メディアにおける撮影コマ画像の記録日時などの撮影条件情報が記録情報として検出される（＃０４）。検出された記録情報を上述したような優先提示サービス種決定判定条件に適用して、優先して提示すべき写真サービス種があるかどうかチェックされる（＃０５）。検出された記録情報が少なくとも１つの優先提示サービス種決定判定条件を満たし、優先提示サービス種があるときには（＃０５Yes分岐）、その優先提示サービス種のアイコンスイッチを含む優先提示サービス種選択画面が表示される（＃０６）。その優先提示サービス種選択画面の一例が図６に示されている。少なくとも１つの優先提示サービス種が選択されると（＃０７Yes分岐）、選択された優先提示サービス種での写真サービスの料金が算出される（＃０８）。その際、選択された優先提示サービス種が全コマを対象とする写真サービスの場合には、セットされた記録メディアＭに記録されている撮影コマ画像のコマ数に基づいて料金が算出される。
【００２５】
検出された記録情報が優先提示サービス種決定判定条件を満たさず、ステップ＃０５のチェックで優先提示サービス種がない場合（＃０５No分岐）、及びステップ＃０６で表示された優先提示サービス種をユーザが希望せず選択しない場合（＃０７No分岐）、通常の写真サービス種を選択画面が表示される（＃０９）。この通常の写真サービス種もユーザが希望せず選択しない場合（＃１０No分岐）、ユーザはこのセルフプリント端末機での写真サービスの実行を中止したと見なして、このルーチンを終了する。通常の写真サービス種を選択画面から少なくとも１つの写真サービス種が選択されると（＃１０Yes分岐）、選択された通常の写真サービス種での写真サービスの料金が算出される（＃０８）。ここでは、選択された通常の写真サービス種が記録メディアに記録されている撮影コマ画像から選択された撮影コマ画像を対象とするのが一般的であるので、写真プリント注文処理においてはよく知られた撮影コマ画像選択画面を用いた撮影コマ画像選別処理が行われた後、選択された撮影コマ画像のコマ数に基づいて料金が算出される（＃１１）。
【００２６】
いずれにせよユーザによって選択された優先提示された写真サービス又は通常の写真サービスに対する料金が算出されると、次に算出された料金が表示され、この料金に対する課金決済処理が行われ、ユーザはその料金を投入する（＃１２）。課金決済処理が完了すると、ユーザによって要求された、写真プリント出力処理やＤＶＤ−Ｒ書き込み処理、さらに必要に応じて、セットされた記録メディアＭにおける消去されるべき撮影コマ画像の消去などが行われる。
【００２７】
このように、本発明による装置では、ユーザによりセットされた記録メディアの記録情報を検出し、優先サービス種決定部がこの記録情報に基づいて適切なサービス種を決定するので、例えば、１００コマ以上の撮影コマ画像が記録されているような場合には、プリントすべき撮影コマ画像をユーザに選択させるような不都合な操作をさせない。また、その際、プリント料金を割り引くことで、ユーザの負担を軽減することもでき、ユーザにとってもＤＰ店にとっても好都合である。
〔別実施形態〕
【００２８】
（１）
上述した実施の形態では、優先的に提示される写真サービス種では、記録メディアＭに記録されている全ての撮影コマ画像を処理対象としていたが、優先的に提示される写真サービス種として、記録メディアＭに記録されている撮影コマ画像から選択された撮影コマ画像を対象とする写真サービス種も含める場合には、撮影コマ画像選択画面を用いた撮影コマ画像選択処理が行われた後、選択された撮影コマ画像のコマ数に基づいて料金が算出されることになる。特に好ましいのは、撮影コマ画像選択画面を用いた撮影コマ画像選択処理が現実的でない記録コマ数の場合には全ての撮影コマ画像を処理対象とする優先提示サービス種だけを表示し、撮影コマ画像選択処理がそれほど時間をかけずに行える記録コマ数の場合には、記録メディアＭに記録されている撮影コマ画像から選択された撮影コマ画像を対象とする写真サービス種も含めて表示するようにすることである。
（２）
上記の実施の形態では、本発明による写真サービス受付装置が、写真サービスの注文からその課金決済、写真プリント出力やＤＶＤ−Ｒ書き込みなどを全て行うセルフプリント端末機として構成されていたが、写真サービスの注文処理だけを行い、その注文結果を撮影コマ画像とともに写真処理装置に転送して、そこで写真プリント出力やＤＶＤ−Ｒ書き込みを行う形態であってもよい。
（３）
上記の実施の形態では、セットされた記録メディアに記録された撮影コマ画像を他の記録メディアに書き込むコマ画像書き込みサービスにおいて書き込み先の記録メディアをＤＶＤ−Ｒとしていたが、他のデータ保管用の記録メディアを採用してもよい。さらには、インターネットなどのネットワークで接続されている大容量ハードディスクなども好都合である。
【図面の簡単な説明】
【００２９】
【図１】セルフプリント端末機として構成された、本発明による写真サービス受付装置の斜視図
【図２】セルフプリント端末機のメインコントロールユニットの構成を示す模式図
【図３】セルフプリント端末機のメインコントロールユニットの機能を示す機能ブロック図
【図４】優先提示サービスの内容を知らせる画面の一例を示す図
【図５】セルフプリント端末機における写真サービス処理の過程を示すフローチャート
【図６】優先提示サービス種選択画面の一例を示す図
【符号の説明】
【００３０】
２  ディスプレイ
３  記録メディア操作部
５０  メインコントローラユニット
６１  メディア記録情報検出部
６２  優先サービス種決定部
６３  写真サービス種管理テーブル
Ｍ  記録メディア
【図１】
2009282148.tif 000003
【図２】
2009282148.tif 000004
【図３】
2009282148.tif 000005
【図４】
2009282148.tif 000006
【図５】
2009282148.tif 000007
【図６】
2009282148.tif 000008